(57)【特許請求の範囲】
【請求項１】
乾電池と同型状の容器内に、
実際の炎から発生した光の時々刻々の振る舞いを数値化したデータを保持する保持手段と、
前記データを時系列的に読み出す読み出し手段と、
前記読み出されたデータに基づいて光源を駆動するための駆動電力を発生する駆動手段と
を実装したことを特徴とする炎検知器用試験装置。
【請求項２】
乾電池と同型状の容器内に、
所定のアドレス範囲を巡回しつつ、一定の時間ごとに増加または減少を繰り返すアドレス値を発生するアドレス発生手段と、
実際の炎から発生した光の振る舞いを所定時間ごとに数値化したデータを各時間単位に記憶し、前記アドレス発生手段で発生したアドレス値に従ってそのアドレスに記憶されているデータを出力する記憶手段と、
前記記憶手段から出力されたデータの内容に応じた大きさの光源駆動用電力を発生する電力発生手段と
を実装したことを特徴とする炎検知器用試験装置。
【請求項３】
前記保持手段は、書き換え可能な不揮発性半導体記憶デバイスによって構成されていることを特徴とする請求項１記載の炎検知器用試験装置。
【請求項４】
前記記憶手段は、書き換え可能な不揮発性半導体記憶デバイスによって構成されていることを特徴とする請求項２記載の炎検知器用試験装置。
【請求項５】
前記アドレス発生手段は、前記記憶手段に記憶されているデータの最小アドレスから最大アドレスまでの範囲を前記所定のアドレス範囲とし、
前記記憶手段は、アドレス発生手段で巡回的に発生する最小アドレスから最大アドレスまでの各アドレスに記憶されているデータを順次に出力することを特徴とする請求項２記載の炎検知器用試験装置。
【請求項６】
前記保持手段は、実際の炎から発生した光の時々刻々の振る舞いを数値化したデータを複数種類保持するものであり、さらに、前記読み出し手段は、これら複数のデータの一つを選択してその選択されたデータを時系列的に読み出すことを特徴とする請求項１記載の炎検知器用試験装置。
【請求項７】
前記記憶手段は、実際の炎から発生した光の時々刻々の振る舞いを数値化したデータを複数種類保持するものであり、さらに、前記アドレス発生手段は、これら複数のデータの一つを選択してその選択されたデータの最小アドレスから最大アドレスまでを前記所定のアドレス範囲として巡回しつつ、当該範囲内のアドレスを発生することを特徴とする請求項２記載の炎検知器用試験装置。
【発明の詳細な説明】
【０００１】
【発明の属する技術分野】
本発明は、炎検知器用試験装置に関する。詳しくは、炎特有の光の振る舞い、すなわち「ゆらぎ」や「ちらつき」などの現象を検出して火災発報を行う炎検知器の動作試験に用いられる試験装置であって、特に、装置コストを抑えるために、市販の携帯型投光器（フラッシュライトなど）との組み合わせによって使用できるようにした試験装置に関する。
【０００２】
【従来の技術】
火災感知器の一種である「炎検知器」は、建物やトンネルなどの各種建造物に設置された火災報知システムのいわば「目」となって、二十四時間、担当警戒エリア内の炎の有無を監視し、炎を感知したときは、火災受信機にその旨を通報（発報）し、システムによる所要の対処行動、たとえば、火災警報や避難誘導案内ないしは自動消火設備の起動等を行わせるという重要な役割を担っている。
【０００３】
このため、故障等により「目」としての機能が失われた場合は、その間、担当警戒エリアが無防備となり、火災報知システムの信頼性を大きく損なうので、すべての炎検知器に対して、定期的または不定期にその動作が正常であるか否かの試験（動作試験）が行われている。
【０００４】
この種の用途の従来の試験装置としては、たとえば、本件出願人が先に提案した「炎検知装置の動作試験器」（特願２０００−３９４０３６号／出願日：２０００年１２月２６日）がある。この従来技術の動作試験器は、持ち運び容易な形状を有するケース内に、バッテリや光源及び試験信号発生基板などのすべての部品を実装して構成されている。試験信号発生基板は、たとえば、異なる複数の周波数ｆ１、ｆ２、・・・・を合成した変調信号を発生することができ、その変調信号で光源の駆動電流を振幅変調することにより、実際の炎からの光（以下「真光」という）に似せた擬似的な光（以下「疑似光」という）を発生し、その疑似光を用いて炎感知器の動作試験を行うことができる。
【０００５】
【発明が解決しようとする課題】
しかしながら、上記の従来技術にあっては、バッテリや光源及び試験信号発生基板などの部品をすべてケースに納めて試験装置を構成し、試験装置それ自体を一つの完成品としてユーザに提供しているため、試験装置の価格にバッテリや光源及び試験信号発生基板などのすべての部品の費用が含まれてしまい、装置コストを抑えることができないという問題点があった。
【０００６】
そこで、本発明は、第一に、試験装置として欠かすことができない特異機能部分は実質的に試験信号発生基板に集約されている、第二に、それ以外の部品（たとえばバッテリや光源などの部品）は市販の携帯型投光器（フラッシュライトなど）に実装されている、第三に、市販の携帯型投光器は一般に広く普及しているといった第一〜第三の事実に着目し、市販の携帯型投光器との組み合わせによって試験装置を構成できるようにし、以て、炎検知器用試験装置の大幅な価格低下を達成することを目的とする。
【０００７】
【課題を解決するための手段】
本発明は、乾電池と同型状の容器内に、実際の炎から発生した光の時々刻々の振る舞いを数値化したデータを保持する保持手段と、前記データを時系列的に読み出す読み出し手段と、前記読み出されたデータに基づいて光源を駆動するための駆動電力を発生する駆動手段とを実装したことを特徴とするものである。
【０００８】
この発明では、２個以上の乾電池を使用するフラッシュライトなどの携帯型投光器との組み合わせにより、炎検知器に対する疑似光を用いた動作試験を行うための装置を構成することができる。すなわち、携帯型投光器から１個の乾電池を取り外し、その代わりに、前記容器に納められた炎感知器用試験装置を入れるだけでよい。この使用状態においては、実際の炎から発生した光の時々刻々の振る舞いを数値化したデータが保持手段から読み出され、このデータに基づいて駆動手段により光源を駆動するための駆動電力が生成される。そして、この駆動電力により、携帯型投光器の光源が駆動され、結局、光源から発生する疑似光の輝度変化パターンが上記データ（実際の炎から発生した光の時々刻々の振る舞いを数値化したデータ）に基づいて制御される。
【０００９】
したがって、上記データの精度を高めるほど、実際の炎から発生する光（真光）の「ゆらぎ」や「ちらつき」などの不規則パターンを正確に再現（トレース）することができ、それだけ真光の不規則パターンに近づけることができる。その結果、疑似光を用いた動作確認試験の確実性を向上し、試験精度の大幅な改善を見込むことができる。
【００１０】
さらに、動作試験に欠かすことができない特異機能部分を乾電池と同型状の容器内に実装したため、ユーザは、この容器に納められた部分だけを入手（メーカから購入）すればよく、他の部分（たとえばバッテリや光源などの部品）は手元にある携帯型投光器（フラッシュライトなど）を流用できるから、きわめて低コストな炎検知器用試験装置を実現できるという格別有益なメリットが得られる。
【００１１】
または、好ましい態様は、前記保持手段は、書き換え可能な不揮発性半導体記憶デバイスによって構成されていることを特徴とするものである。
この態様では、必要に応じて、実際の炎から発生した光の時々刻々の振る舞いを数値化したデータを書き換えることができる。したがって、たとえば、炎の種類に応じた別のデータと入れ替えることができ、あるいは、性能の良い新たな光センサが考案された場合にはその光センサで検出した、より高精度のデータと置き換えることもでき、一層の試験精度改善を見込むことができる。
【００１２】
または、好ましい態様は、前記保持手段は、実際の炎から発生した光の時々刻々の振る舞いを数値化したデータを複数種類保持するものであり、さらに、前記読み出し手段は、これら複数のデータの一つを選択してその選択されたデータを時系列的に読み出すことを特徴とされているものである。
この態様では、たとえば、あらかじめ炎の種類ごとのデータを記憶しておき、それら複数のデータを現場で使い分けて動作試験を行うことができる。したがって、実際の炎の種類に適合したデータに基づいて動作試験を行うことができ、より一層の試験精度改善を見込むことができる。
【００１３】
【発明の実施の形態】
以下、本発明の実施の形態を、図面を参照しながら説明する。
図１は、２個以上の乾電池（一次電池でも二次電池でもよい）によって駆動され、且つ、持ち運びに適した外観形状を有する携帯型投光器（一般に懐中電灯、ハンドライトまたはフラッシュライトともいう；以下「フラッシュライト」で代表する。）の外観図（ａ）、及び、内部構造概念図（ｂ）である。なお、図示のフラッシュライト１は、円筒状のハンドグリップ２の先端に発光部３を設けたタイプのものを示しているが、これに限定されない。箱形の電池ケースの上面に把持部を設けると共に、他の一面に発光部を備えたタイプであってもよい。ハンドグリップ２は、たとえば金属素材で作られており、少なくともその内周面が電気を通す導電面になっている。または、内周面を導電加工したその他の材料（プラスチック等）で作られていてもよい。
【００１４】
ハンドグリップ２の先端付近（発光部３の近く）には、電源スイッチ４が設けられており、このフラッシュライト１は、通常の用途（周囲を照らす発光器としての用途）においては、電源スイッチ４をオンにすることにより、ハンドグリップ２の内部に入れられたｎ個の乾電池の各起電圧を足し合わせた電圧（以下、便宜的に乾電池を“単一型”とする。）で発光部３の内部に設けられた光源５を駆動し、発光部３からの光で周囲を明るく照らし出す。
【００１５】
さて、ハンドグリップ２の底部（図面では右端部）には、ねじ込み式の蓋６が設けられており、この蓋６を取り外して、ハンドグリップ２内部の乾電池を出し入れできるようになっている。図示のフラッシュライト１の実装乾電池数ｎは２個以上である。以下、説明の便宜上「ｎ＝３」とすると、現在、フラッシュライト１には２個の乾電池７と１個の容器８が入れられており、容器８の側方から２方向に突出したバネ性の給電電極体Ｐ１、Ｐ２がそのバネの力でハンドグリップ２の内周面（電気を通す導電面）に圧接している。
【００１６】
容器８の外観形状は乾電池７と同一である。すなわち、先に定義したとおり、乾電池７は“単一型”であるから、この容器８の外観形状も“単一型”の基準（ＪＩＳ規格）を満たすようになっている。なお、言うまでもなく例示の“単一型”は説明の便宜にすぎない。他の乾電池規格（単２、単３、単４、積層型、ボタン型、コイン型、専用型など）であってもかまわない。
【００１７】
図２（ａ）は、容器８、乾電池７、電源スイッチ４及び光源５を含む電気回路図である。この図に示すように、容器８は、乾電池７を電源とし、光源５を負荷とする回路内に挿入されており、電源スイッチ４をオンにすることにより、当該回路内で所要の動作をすることができるようになっている。なお、この図面において、接地（グランド）記号はハンドグリップ２の内周面（電気を通す導電面）を表している。この内周面には電池７の負電極が接続されていると共に、容器８から２方向に突出した給電電極体Ｐ１、Ｐ２も接触している（図示の都合でＰ２の接触だけを示しているが、Ｐ１も同様である）。
【００１８】
図２（ｂ）は、容器８の組み立て図である。容器８は、乾電池７と同一の直径φと全長Ｌを有する円筒状ケース９と、そのケース９に内装される基板組み立て体１０とからなり、基板組み立て体１０は、ケース９への内装後にケース９の両端を閉鎖するための一端側円形プレート１１及び他端側円形プレート１２と、それら一対の円形プレート１１、１２の間を連結する電子基板１３とを有している。また、基板組み立て体１０の両側端にはバネ性の給電電極体Ｐ１、Ｐ２が取り付けられており、この給電電極体Ｐ１、Ｐ２は容器８を組み立てる際に、ケース９の切り込み９ａ、９ｂからその一部を容器８の外方に露出させるようになっている。
【００１９】
一端側円形プレート１１は電気的な絶縁材料で形成されており、その中央付近に乾電池７の＋電極に相当する導電材料からなる突起１４が設けられている。また、他端側円形プレート１２は全体が導電材料で形成されており、この他端側円形プレート１２は乾電池７の−電極に相当する。さらに、電子基板１３には、次に説明する“電子回路”を構成するために必要な各種電子部品が実装されている。
【００２０】
図３は、電子基板１３に実装された電子回路のブロック図である。図示の例の場合、電子基板１３には、アドレス発生部（発明の要旨に記載のアドレス発生手段、読み出し手段に相当）２０、記憶部（発明の要旨に記載の保持手段、記憶手段に相当）２１、Ｄ／Ａ変換部２２、駆動部（発明の要旨に記載の駆動手段、電力発生手段に相当）２３、内部電源発生部２４及びスイッチオン検出部２５の各部が実装されている。
【００２１】
スイッチオン検出部２５は、フラッシュライト１の電源スイッチ４がオンにされたとき、乾電池７→他端側円形プレート１２→スイッチオン検出部２５→突起１４→電源スイッチ４（オン状態）→光源５の経路で流れる電流の変化を検出し、スイッチオン検出信号Ｓｏｎを内部電源発生部２４に出力する。
内部電源発生部２４は、スイッチオン検出信号Ｓｏｎに応答して、乾電池７の電圧（他端側円形プレート１２を介して加えられる電池７の正極と、ハンドグリップ２の内周面から給電電極体Ｐ１、Ｐ２を介して加えられる電池７の負極との電位差）を取り込み、以下の各部（アドレス発生部２０、記憶部２１、Ｄ／Ａ変換部２２及び駆動部２３）の動作に必要な内部電源電圧Ｖｃｃを発生する。
【００２２】
アドレス発生部２０は、所定の最小アドレスから所定の最大アドレスまでの“アドレス範囲”を巡回しつつ、当該範囲内のアドレス値を、所定時間間隔で逐次に増加（または減少でもよい）させながら発生する。上記のアドレス範囲は、記憶部２１のデータの格納範囲に対応して設定される。たとえば、図４は、記憶部２１におけるデータの格納イメージを示す図であるが、この図では、最小アドレスＡ００に第００番目のデータＤ００が記憶され、次位アドレスＡ０１に第０１番目のデータＤ０１が記憶され、・・・・、最大アドレスＡｎｎに第ｎｎ番目のデータＤｎｎが記憶されているので、この場合、アドレス発生部２０の“アドレス範囲”は、Ａ００〜Ａｎｎとなり、アドレス発生部２０は、「Ａ００→Ａ０１→Ａ０２→Ａ０３→Ａ０４→Ａ０５→Ａ０６→・・・・→Ａｎｎ」の順番で所定時間（後述の時間Ｔｄ）ごとにアドレスを発生することになる。
【００２３】
ここで、記憶部２１は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）またはフラッシュメモリなどの書き換え可能な半導体記憶デバイスによって構成されていることが望ましい。理由は後述する。
【００２４】
記憶部２１は、アドレス発生部２０から所定時間（Ｔｄ）間隔で出力されるアドレスを受け、そのアドレスに格納されているデータを後段のＤ／Ａ変換部２２に出力する。たとえば、アドレス発生部２０からアドレスＤｘｙ（ｘおよびｙは０〜ｎまでの任意値）が出力された場合、記憶部２１は、アドレスＤｘｙに格納されているデータＤｘｙをＤ／Ａ変換部２２に出力する。
【００２５】
Ｄ／Ａ変換部２２は、記憶部２１から出力されたデータＤｘｙ、すなわち、ディジタル値のデータＤｘｙをアナログ値の電気信号に変換して、駆動部２３に出力する。駆動部２３は、いわゆる電力増幅部として機能し、Ｄ／Ａ変換部２２から出力された電気信号（アナログ値に変換されたデータＤｘｙ）を電力増幅して、フラッシュライト１の光源５を駆動する。
【００２６】
光源５は、駆動部２３からの駆動電力に応じた大きさの光（発明の要旨に記載の疑似光に相当）Ｌを外部に向けて発射できるものであり、この光源５には、たとえば、白熱ランプ、ハロゲンランプ、クリプトンランプまたは電熱線などの熱源を有するもの、若しくは、発光ダイオード（ＬＥＤ）、エレクトロルミネッセント（ＥＬ）などの半導体発光素子（電子と正孔との再結合エネルギーにより所定の発光色の光Ｌを発射するもの）を使用することができる。試験対象物（炎検知器）の検知原理に対応した適切な種類の光源を用いればよい。
【００２７】
図５は、フラッシュライト１の電源スイッチ４をオンにしている間のアドレス発生部２０の動作フローチャートを示す図である。このフローチャートにおいて、電源スイッチ４をオンにすると、まず、スイッチオン検出部２５からスイッチオン検出信号Ｓｏｎが出力され（ステップＳ１１）、このスイッチオン検出信号Ｓｏｎに応答して、内部電源発生部２４から各部（アドレス発生部２０、記憶部２１、Ｄ／Ａ変換部２２及び駆動部２３）に対して内部電源電圧Ｖｃｃが供給され（ステップＳ１２）、これにより、各部（アドレス発生部２０、記憶部２１、Ｄ／Ａ変換部２２及び駆動部２３）は所要の動作を開始する。
【００２８】
すなわち、アドレス発生部２０は、まず、初期アドレスを発生する（ステップＳ１３）。この初期アドレスは、アドレス巡回のスタートアドレスであり、たとえば、記憶部２１に記憶されたデータの最小アドレスＡ００とすることができる。以下、説明の都合上、初期アドレスをＡ００とする。アドレス発生部２０は、次に、アドレスをインクリメントする（ステップＳ１４）。すなわち、アドレス値を＋１し、次いで、そのインクリメント後のアドレスが最終アドレス（Ａｎｎ）を超えたか否かを判定する（ステップＳ１５）。
そして、越えていれば、再び初期アドレスに戻り、越えていなければ、所定時間Ｔｄ待機（ステップＳ１６）した後、そのインクリメント後のアドレスを発生する（ステップＳ１７）。
【００２９】
したがって、このフローチャートによれば、アドレス発生部２０は、電源スイッチ４をオンにした直後から、「Ａ００→Ａ０１→Ａ０２→Ａ０３→Ａ０４→Ａ０５→Ａ０６→・・・・→Ａｎｎ」の順番で所定時間（後述の時間Ｔｄ）ごとにアドレスを発生し、且つ、最終アドレス（この場合はＡｎｎ）を越えると、再び初期アドレス（Ａ００）に戻って、上記の順番を繰り返す（巡回する）ことになる。
【００３０】
図６は、かかるアドレス発生部２０のアドレス発生作用に伴って、記憶部２１から出力されるデータの時系列イメージを示す図である。この図において、アドレス発生部２０から初期アドレス（Ａ００）が出力されたときは、記憶部２１からデータＤ００が出力される。また、アドレス発生部２０から次位アドレス（Ａ０１）が出力されたときは、記憶部２１から次位データＤ０１が出力される。そして、この動作を所定時間Ｔｄごとに逐次に実行し、最終アドレス（Ａｎｎ）を越えると（データＤｎｎの出力を終えると）、再びアドレス発生部２０から初期アドレス（Ａ００）が出力され、それに対応して記憶部２１から初期データＤ００が出力されるという動作を、電源スイッチ４がオンになっている間、延々と繰り返す。
【００３１】
図７は、記憶部２１に格納されたデータＤ００〜Ｄｎｎの具体例を示す図である。この図において、縦軸はデータの大きさ、横軸は時間である。図示の波形は、あらかじめ実際の炎から発生した光をある時間（図では０ｍｓ〜３０００ｍｓ間）、光センサで検出し、その検出信号を所定の周期（前記の所定時間Ｔｄに相当）でサンプリングして離散化（数値化）したものである。したがって、この波形は、実際の炎から発生した光の時々刻々の振る舞いを数値化したデータである。
【００３２】
図では略しているが、時間軸は前記の所定時間Ｔｄごとに区切られている。たとえば、図中に示すＤｘｙは、時間軸上の一つのデータを表しており、このデータＤｘｙはハッチングの高さに相当するデータ値（電圧値）を持っている。
【００３３】
この具体的な波形データ、すなわち、実際の炎から発生した光の時々刻々の振る舞いを数値化したデータは、上記の区切られた単位ごとに記憶部２１のアドレスＡ００〜Ａｎｎにそれぞれ格納される。そして、電源スイッチ４がオンになっている間、アドレス発生部２０から所定時間Ｔｄごとに逐次に出力されるアドレスに応答して、時間軸に沿って右方向（０ｍｓ→３０００ｍｓ）へ各データ値が当該時間Ｔｄごとに順次に読み出され、且つ、最大時間（３０００ｍｓ）を越えると、再び最小時間（０ｍｓ）に復帰して、その読み出しを延々と繰り返すという作用が得られる。
【００３４】
したがって、この読み出しデータに従って駆動部２３により駆動される光源５は、その光Ｌの強さを図７の波形に沿って変化させることとなり、結局、本実施の形態においては、記憶部２１に格納されたデータ（実際の炎から発生した光の時々刻々の振る舞いを数値化したデータ）に応じてその光Ｌの強さを変化させる試験用の「疑似光」を得ることができる。その結果、記憶部２１に格納されたデータの精度を上げるほど、実際の炎から発生する光の「ゆらぎ」や「ちらつき」などの不規則パターンを正確に再現（トレース）した疑似光を得ることができ、疑似光を用いた動作試験の欠点、すなわち、「試験の確実性」の大幅な改善を見込むことができるのである。
【００３５】
しかも、本実施の形態では、動作試験に欠かすことができない機能部分を、乾電池７と同形状の容器８に納めているので、２個以上の乾電池を用いるフラッシュライト１の１個の乾電池と入れ替えて使用することができ、少なくとも、上記の動作試験に欠かすことができない機能部分以外の部分（光源５や乾電池７など）については、ユーザの手元にあるもの（フラッシュライト１）を流用することができる。したがって、低コストな炎感知器用試験装置をユーザに提供することができるという格別な効果を得ることができる。
【００３６】
なお、先に説明した記憶部２１に「書き換え可能な不揮発性半導体デバイス」を用いることが望ましいという理由は、実際の炎から発生した光の時々刻々の振る舞いを数値化したデータは、実際の炎の種類、または、その炎からの光を検出する光センサの性能、光センサの出力をディジタル信号に変換するアナログディジタル変換器の分解能、そのサンプリング周期など、様々な影響を受けるため、データ作成の仕方によっては、信頼性に大きなバラツキが生じることがあるからである。記憶部２１に書き換え可能な不揮発性半導体記憶デバイスを用いておけば、不都合を生じたデータを正しいデータに書き換えることができ、試行錯誤を繰り返しながら、最良の動作試験結果を得るように改良を続けることができるからである。
【００３７】
また、本発明は、前記の実施の形態に限定されないことはもちろんであり、その思想の範囲において様々な変形態様を含むことは当然である。
たとえば、前記の実施の形態では、一種類のデータしか記憶部２１に格納していないが、複数のデータを格納できるようにし、それらを選択して使用できるように改良してもよい。
【００３８】
図８は、その改良例を示す要部構成図である。この図において、前記の実施の形態と大きく相違する点は、記憶部２１が複数（図ではｍ個）の記憶領域２７＿１〜２７＿ｍを有し、各々の記憶領域に異なる種類のデータを格納できるようにした点、及び、アドレス発生部２０が各記憶領域ごとのアドレスを発生できるようにした点にある。なお、この図においては、アドレス発生部２０は、ユーザによって行われる領域切り換え部２６の切り換え操作に応じて、指定された記憶領域のアドレスを発生できるようにしてある。この領域切り換え部２６は、たとえば、電子基板１３に実装されたディップスイッチとすることができる。
【００３９】
この改良例によれば、記憶部２１の各記憶領域２７＿１〜２７＿ｍに、たとえは、炎の種類ごとのデータ（その炎から発生した光の時々刻々の振る舞いを数値化したデータ）を格納しておけば、少なくともｍ種類の異なる疑似光を試験現場で自在に使い分けることができるという特有のメリットが得られる。
【００４０】
【発明の効果】
この発明によれば、２個以上の乾電池を使用するフラッシュライトなどの携帯型投光器との組み合わせにより、炎検知器に対する疑似光を用いた動作試験を行うことができる。すなわち、携帯型投光器から１個の乾電池を取り外し、その代わりに、前記容器に納められた炎感知器用試験装置を入れるだけでよい。この使用状態においては、実際の炎から発生した光の時々刻々の振る舞いを数値化したデータが保持手段から読み出され、このデータに基づいて駆動手段により光源を駆動するための駆動電力が生成される。そして、この駆動電力により、携帯型投光器の光源が駆動され、結局、光源から発生する疑似光の輝度変化パターンが上記データ（実際の炎から発生した光の時々刻々の振る舞いを数値化したデータ）に基づいて制御される。
【００４１】
したがって、上記データの精度を高めるほど、実際の炎から発生する光（真光）の「ゆらぎ」や「ちらつき」などの不規則パターンを正確に再現（トレース）することができ、それだけ真光の不規則パターンに近づけることができる。その結果、疑似光を用いた動作確認試験の確実性を向上し、試験精度の大幅な改善を見込むことができる。
【００４２】
さらに、動作試験に欠かすことができない特異機能部分を乾電池と同型状の容器内に実装したため、ユーザは、この容器に納められた部分だけを入手（メーカから購入）すればよく、他の部分（たとえばバッテリや光源などの部品）は手元にある携帯型投光器（フラッシュライトなど）を流用できるから、低コストで炎検知器用試験装置を使用できるという格別有益なメリットが得られる。
【００４３】
また、この発明の好ましい態様によれば、必要に応じて、実際の炎から発生した光の時々刻々の振る舞いを数値化したデータを書き換えることができる。したがって、たとえば、炎の種類に応じた別のデータと入れ替えることができ、あるいは、性能の良い新たな光センサが考案された場合にはその光センサで検出した、より高精度のデータと置き換えることもでき、一層の試験精度改善を見込むことができる。
【００４４】
また、この発明の好ましい態様によれば、たとえば、あらかじめ炎の種類ごとのデータを記憶しておき、それら複数のデータを現場で使い分けて動作試験を行うことができる。したがって、実際の炎の種類に適合したデータに基づいて動作試験を行うことができ、より一層の試験精度改善を見込むことができる。
【図面の簡単な説明】
【図１】携帯型投光器（フラッシュライト１）の外観図及び内部構造概念図である。
【図２】容器８、乾電池７、電源スイッチ４及び光源５を含む電気回路図及び容器８の組み立て図である。
【図３】電子基板１３に実装された電子回路のブロック図である。
【図４】記憶部２１におけるデータの格納イメージを示す図である。
【図５】電源スイッチ４をオンにしている間のアドレス発生部２０の動作フローチャートを示す図である。
【図６】アドレス発生部２０のアドレス発生作用に伴って記憶部２１から出力されるデータの時系列イメージを示す図である。
【図７】記憶部２１に格納されたデータＤ００〜Ｄｎｎの具体例を示す図である。
【図８】本発明の改良例を示す要部構成図である。
【符号の説明】
Ｄ００〜Ｄｎｎ・・・・データ
Ｌ・・・・光（疑似光）
１・・・・フラッシュライト（携帯型投光器）
５・・・・光源
７・・・・乾電池
８・・・・容器
２０・・・・アドレス発生部（アドレス発生手段、読み出し手段）
２１・・・・記憶部（保持手段、記憶手段）
２２・・・・Ｄ／Ａ変換部
２３・・・・駆動部（駆動手段、電力発生手段）
【図１】
0003891337.tif 000002
【図２】
0003891337.tif 000003
【図３】
0003891337.tif 000004
【図４】
0003891337.tif 000005
【図５】
0003891337.tif 000006
【図６】
0003891337.tif 000007
【図７】
0003891337.tif 000008
【図８】
0003891337.tif 000009